【事件の表示】
　商願２０１０−６３２８９拒絶査定不服審判事件について、次のとおり審決する。
【結　論】
　原査定を取り消す。
　本願商標は、登録すべきものとする。
【理　由】
１　本願商標
　本願商標は、別掲１のとおりの構成よりなり、第１２類、第１８類、第２０類、第２４類、第２５類及び第３５類に属する願書記載のとおりの商品及び役務を指定商品及び指定役務として、平成２２年８月１０日に登録出願され、その後、指定商品及び指定役務については原審における同年１２月２８日付け手続補正書及び当審における同２３年５月２日付けの手続補正書により、最終的に、第１２類「車いす」、第１８類「傘，ステッキ，つえ，つえ金具，つえの柄」、第２０類「家具，つい立て，びょうぶ」、第２５類「履物（「靴合わせくぎ・靴くぎ・靴の引き手・靴びょう・靴保護金具」を除く。）」及び第３５類「履物（靴合わせくぎ・靴くぎ・靴の引き手・靴びょう・靴保護金具を除く）の小売又は卸売の業務において行われる顧客に対する便益の提供，傘の小売又は卸売の業務において行われる顧客に対する便益の提供，ステッキ・つえ・つえ金具・つえの柄の小売又は卸売の業務において行われる顧客に対する便益の提供」と補正されたものである。
　
２　引用商標
　原査定において、本願の拒絶の理由に引用した登録商標（以下、「引用各商標」という。）は、以下の（１）ないし（８）のとおりであり、いずれも現に有効に存続しているものである。
（１）登録第８９１９６５号商標は、別掲２のとおりの構成よりなり、昭和４３年１０月１７日に登録出願、第１６類に属する商標登録原簿に記載のとおりの商品を指定商品として同４６年３月８日に設定登録され、その後、４回にわたり商標権の存続期間の更新登録がなされ、指定商品については、平成１４年２月６日に第２４類「織物（畳べり地を除く。），メリヤス生地，フェルト，不織布，オイルクロス，ゴム引防水布，ビニルクロス，ラバークロス，レザークロス，ろ過布」及び第２６類「編みレース生地，刺しゅうレース生地，房類」とする指定商品の書換登録がなされたものである。
（２）登録第１７２４４９２号商標は、別掲３のとおりの構成よりなり、昭和５６年９月２９日に登録出願、第２１類に属する商標登録原簿に記載のとおりの商品を指定商品として同５９年１０月３１日に設定登録され、その後、２回にわたり商標権の存続期間の更新登録がなされ、指定商品については、平成１７年８月１０日に第３類「つけづめ，つけまつ毛」、第６類「金属製のバックル」、第８類「ひげそり用具入れ，ペディキュアセット，マニキュアセット，まつ毛カール器」、第１０類「耳かき」、第１４類「身飾品（「カフスボタン」を除く。），カフスボタン，貴金属製のがま口及び財布，宝玉及びその模造品，貴金属製コンパクト」、第１８類「かばん類，袋物，携帯用化粧道具入れ」、第２１類「化粧用具（「電気式歯ブラシ」を除く。）」、第２５類「ガーター，靴下止め，ズボンつり，バンド，ベルト」及び第２６類「頭飾品，つけあごひげ，つけ口ひげ，ヘアカーラー（電気式のものを除く。），腕止め，衣服用き章（貴金属製のものを除く。），衣服用バッジ（貴金属製のものを除く。），衣服用バックル，衣服用ブローチ，帯留，ボンネットピン（貴金属製のものを除く。），ワッペン，腕章，ボタン類，造花（「造花の花輪」を除く。）」とする指定商品の書換登録がなされたものである。
（３）登録第１８９４６５０号商標は、別掲４のとおりの構成よりなり、昭和５５年１２月２６日に登録出願、第１７類に属する商標登録原簿に記載のとおりの商品を指定商品として同６１年９月２９日に設定登録され、その後、２回にわたり商標権の存続期間の更新登録がなされ、指定商品については、平成１９年２月７日に第５類「失禁用おしめ」、第９類「事故防護用手袋，防じんマスク，防毒マスク，溶接マスク，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」とする指定商品の書換登録がなされたものである。
（４）登録第１９８８８００号商標は、別掲５のとおりの構成よりなり、昭和５７年６月８日に登録出願、第１７類に属する商標登録原簿に記載のとおりの商品を指定商品として同６２年１０月２７日に設定登録され、その後、２回にわたり商標権の存続期間の更新登録がなされ、指定商品については、平成１９年１０月２４日に第５類「失禁用おしめ」、第９類「事故防護用手袋，防じんマスク，防毒マスク，溶接マスク，防火被服」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「洋服，コート，セーター類，ワイシャツ類，寝巻き類，下着，水泳着，水泳帽，和服，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」とする指定商品の書換登録がなされたものである。
（５）登録第２３３５２２０号商標は、別掲６のとおりの構成よりなり、昭和６３年７月２６日に登録出願、第１７類に属する商標登録原簿に記載のとおりの商品を指定商品として平成３年９月３０日に設定登録され、その後、２回にわたり商標権の存続期間の更新登録がなされ、指定商品については、同１４年６月１９日に第２５類「和服」とする指定商品の書換登録がなされたものである。
（６）登録第４１０３８３０号商標は、「愛」及び「アイ」の文字を上下二段に横書きしてなり、平成８年２月１日に登録出願、第１２類「二輪自動車・自転車並びにそれらの部品及び附属品」を指定商品として同１０年１月１６日に設定登録され、その後、商標権の存続期間の更新登録がなされたものである。
（７）登録第４９２０６２０号商標は、「アイ」及び「あい」の文字を上下二段に横書きしてなり、平成１６年８月２７日に登録出願、第１２類「陸上の乗物用の動力機械（その部品を除く。），陸上の乗物用の機械要素，航空機並びにその部品及び附属品，鉄道車両並びにその部品及び附属品，自動車並びにその部品及び附属品，乳母車，人力車，そり，手押し車，荷車，馬車，リヤカー，タイヤ又はチューブの修繕用ゴムはり付け片」を指定商品として同１８年１月１３日に設定登録されたものである。
（８）登録第５２１４００９号商標は、別掲７のとおりの構成よりなり、平成１９年４月２６日に登録出願、第３５類「飲食料品（日本酒，ビール，洋酒，果実酒，菓子及びパン，ウースターソース，グレービーソース，ケチャップソース，しょうゆ，食酢，酢の素，そばつゆ，ドレッシング，ホワイトソース，マヨネーズソース，焼肉のたれ，人工甘味料，乳糖，角砂糖，果糖，氷砂糖，砂糖，麦芽糖，はちみつ，ぶどう糖，粉末あめ，水あめ，香辛料，穀物の加工品，工業用粉類，豆，米，脱穀済みのえん麦，脱穀済みの大麦，食用粉類，あわ，きび，ごま，そば，とうもろこし，ひえ，麦，籾米，もろこしを除く。）の小売又は卸売の業務において行われる顧客に対する便益の提供，酒類（日本酒，ビール，洋酒，果実酒を除く。）の小売又は卸売の業務において行われる顧客に対する便益の提供，食肉の小売又は卸売の業務において行われる顧客に対する便益の提供，食用水産物の小売又は卸売の業務において行われる顧客に対する便益の提供，野菜及び果実の小売又は卸売の業務において行われる顧客に対する便益の提供，牛乳の小売又は卸売の業務において行われる顧客に対する便益の提供，清涼飲料及び果実飲料の小売又は卸売の業務において行われる顧客に対する便益の提供，茶・コーヒー及びココアの小売又は卸売の業務において行われる顧客に対する便益の提供，加工食料品（穀物の加工品を除く。）の小売又は卸売の業務において行われる顧客に対する便益の提供，二輪自動車の小売又は卸売の業務において行われる顧客に対する便益の提供，自転車の小売又は卸売の業務において行われる顧客に対する便益の提供，手動利器・手動工具及び金具（魚ぐし，針類，研磨紙，研磨布，研磨用砂，人造軽石，つや出し紙，つや出し布，皮砥，鋼砥，砥石，金属製金具，水道蛇口用座金，水道蛇口用ワッシャー，キーホルダー，ゴム製又はバルカンファイバー製の座金及びワッシャー，かばん金具，がま口口金，蹄鉄，カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。），被服用はとめを除く。）の小売又は卸売の業務において行われる顧客に対する便益の提供，ガス湯沸し器の小売又は卸売の業務において行われる顧客に対する便益の提供，なべ類・コーヒー沸かし（電気式のものを除く。）・鉄瓶・やかんの小売又は卸売の業務において行われる顧客に対する便益の提供，薬剤及び医療補助品（医療用油紙，衛生マスク，オブラート，ガーゼ，カプセル，眼帯，耳帯，生理帯，生理用タンポン，生理用ナプキン，生理用パンティ，脱脂綿，ばんそうこう，包帯，包帯液，胸当てパッド，ピンセット，おしゃぶり，氷まくら，三角きん，支持包帯，手術用キャットガット，吸い飲み，スポイト，乳首，氷のう，氷のうつり，ほ乳用具，魔法ほ乳器，綿棒，指サック，デンタルフロスを除く。）の小売又は卸売の業務において行われる顧客に対する便益の提供，農耕用品（養蜂用巣箱，育雛器，ふ卵器，検卵器を除く。）の小売又は卸売の業務において行われる顧客に対する便益の提供，花及び木の小売又は卸売の業務において行われる顧客に対する便益の提供，燃料の小売又は卸売の業務において行われる顧客に対する便益の提供，たばこの小売又は卸売の業務において行われる顧客に対する便益の提供」を指定役務として同２１年３月１３日に設定登録されたものである。
　
３　当審における判断
　本願の指定商品及び指定役務は、前記１のとおり補正された結果、引用各商標に係る指定商品及び指定役務と同一又は類似の商品及び役務は、すべて削除され、その結果、本願の指定商品及び指定役務は、引用各商標に係る指定商品及び指定役務とは類似しないものとなった。
　したがって、本願商標が商標法第４条第１項第１１号に該当するとして本願を拒絶した原査定の拒絶の理由は、解消した。
　その他、本願について拒絶の理由を発見しない。
　よって、結論のとおり審決する。